(57)【要約】【課題】簡便に雰囲気を加湿することができる、加湿器及び空気清浄機を提供する。【解決手段】加湿器１は、本体２と、係合部３と、湿潤フィルター部４と、通気部５を備える。本体２の底部２Ｂには第１の開口部２Ａが形成され、第１の開口部２Ａとは反対側の本体２に第２の開口部２Ｃが形成されている。本体２は、本体２が延びた方向と同じ方向へ延びた筒体２Ｄと、筒体２Ｄの縁部から離れて配置された傘体２Ｇを有する。係合部３は底部２Ｂに設けられ、複数の凹部３Ａと凸部３Ｂを有し、空気清浄機と着脱可能に係合可能である。湿潤フィルター部４は、本体２の筒体２Ｄと本体２の内壁との間の空間２Ｊに配置され、筒体縁部２Ｅと傘体２Ｇとの間の空間に湿潤フィルター部４の一部が対面する。通気部５は第２の開口部２Ｃに配置され、第１の開口部２Ａから入り込んだ気流が湿潤フィルター部４を通過し、湿潤気流となって通気部５の通気口５Ｂから外部へ出る。【選択図】図３
0003225216.tif 000002
【実用新案登録請求の範囲】
【請求項１】
一方向に延びており、かつ、一方の端部と同じ方向へ開口した、内部と外部とを連通した第１の開口部と、前記一方の端部とは反対側の他方の端部と同じ方向へ開口した、内部と外部とを連通した第２の開口部が形成された本体と、
該本体の一方の端部に対向して配置される、気流を生成可能な物体と着脱可能に係合可能な係合部と、
前記本体の前記第１の開口部と前記第２の開口部とを結ぶ線上に配置可能であり、かつ、液体を含浸可能であり、かつ、前記気流を通気可能である湿潤フィルター部とを備える
加湿器。
【請求項２】
前記係合部は、前記本体の前記第１の開口部が開口した方向と同じ方向に向いた凹凸部を有する
請求項１に記載の加湿器。
【請求項３】
前記第１の開口部の面積は、前記第２の開口部の面積よりも小さく、
前記本体は、前記第１の開口部の縁部から前記第２の開口部へ向けて同本体が延びた方向と同じ方向へ延びた筒体と、該筒体の縁部から同筒体が延びた方向と同じ方向へ所定の距離離れて配置された、かつ、同筒体が延びた方向と同じ方向に対して略直交する方向における面積が、同筒体が延びた方向に対して略直交する方向における同筒体の面積よりも大きいと共に前記第２の開口部の面積よりも小さい傘体とを有する
請求項１または請求項２に記載の加湿器。
【請求項４】
前記湿潤フィルター部は、前記本体が延びた方向と同じ方向へ延びた筒状であり、かつ、前記本体の前記筒体と同本体の内壁との間に配置可能であり、かつ、同湿潤フィルター部の延びた長さが、前記第１の開口部の縁部の位置から前記第２の開口部へ向いた前記傘体の面の位置までの長さと略同じである
請求項３に記載の加湿器。
【請求項５】
前記傘体は、前記第２の開口部へ向いた同傘体の面とは反対側の面から前記第１の開口部へ向けて突起した略山形状の突起部を有する
請求項３または請求項４に記載の加湿器。
【請求項６】
一定方向へ流れる気流を生成可能な送風部と、
該送風部が生成した前記気流を通気可能であり、かつ、同気流に含まれた汚染物質を捕集可能な清浄フィルター部と、
該清浄フィルター部に汚染物質を捕集された気流である清浄気流を通気可能な排気部と、
一方向に延びており、かつ、一方の端部と同じ方向へ開口した、内部と外部とを連通した第１の開口部と、前記一方の端部とは反対側の他方の端部と同じ方向へ開口した、内部と外部とを連通した第２の開口部が形成された本体と、前記排気部と着脱可能に係合可能な係合部と、前記本体の前記第１の開口部と前記第２の開口部とを結ぶ線上に配置可能であり、かつ、液体を含浸可能であり、かつ、前記気流を通気可能である湿潤フィルター部とを有する加湿部とを備える
空気清浄機。
【考案の詳細な説明】
【技術分野】
【０００１】
本考案は加湿器及び空気清浄機に関する。詳しくは、例えば空気清浄機の排気部に着脱可能に取付可能な加湿器、及びこの加湿器を備えた空気清浄機に係るものである。
【背景技術】
【０００２】
空気が乾燥すると様々な問題が生じることが知られている。
例えば、肌から体内の水分が蒸発し易くなり、肌のターンオーバーすなわち代謝に必要な水分がなくなって、肌荒れや皮脂の過剰分泌が起きてシミやシワが生じ易くなる。
【０００３】
また、空気が乾燥すると、風邪やインフルエンザのウイルスが活発になり、さらに肌と同じく鼻や喉の粘膜も乾燥し、ウイルスが体内に侵入し易くなる。
さらに、皮膚の乾燥によって水分が蒸発し、体内の水分が減っていくが、冬は夏に比べると水分補給を怠りがちになり、脱水症状を起こしてしまうことがある。
【０００４】
また、空気が乾燥すると空気中の水分が少なくなるため火が点き易くなり、暖房の不始末などで火災につながる危険も増える。
【０００５】
そこで、室内の空気の湿度を高めるべく、様々な加湿のための手段が提案されている。
例えば、特許文献１には、図５に示すような加湿器が記載されている。
【０００６】
すなわち、特許文献１に記載の加湿器１０１は、ドロップ形状の本体１０２に形成された噴出口１１０から噴出される加湿空気Ａを送風により遠方まで行きわたらせるための送風機１２０を備える。
また、送風機１２０は、回転する羽根によって風を発生させる構成のものである。
【０００７】
このような構成の加湿器１０１によって、噴出口１１０から噴出される加湿空気Ａを送風機１２０の送風により遠方まで行きわたらせることができ、机上や棚など設置箇所近辺を濡らすこともなく、効率良く室内全体を満遍なく加湿することができる。
【先行技術文献】
【特許文献】
【０００８】
【特許文献１】実用新案登録第３２２０８６３号公報
【考案の概要】
【考案が解決しようとする課題】
【０００９】
しかしながら、特許文献１に記載の加湿器は送風機を備えているので、送風機を備えていない加湿器よりも質量が大きく持ち運び難い。その結果、様々な場所に持ち込んでその場所の雰囲気を加湿するという簡便性が不充分であった。
さらに、特許文献１に記載の加湿器は、気流を生成する様々な手段が生成した気流を利用しようという考えに基づいておらず、この点においても様々な場所の雰囲気を加湿するという簡便性が不充分であった。
【００１０】
本考案は、以上の点に鑑みて創案されたものであり、簡便に雰囲気を加湿することができる、加湿器及び空気清浄機を提供することを目的とする。
【課題を解決するための手段】
【００１１】
上記の目的を達成するために、本考案の加湿器は、一方向に延びており、かつ、一方の端部と同じ方向へ開口した、内部と外部とを連通した第１の開口部と、前記一方の端部とは反対側の他方の端部と同じ方向へ開口した、内部と外部とを連通した第２の開口部が形成された本体と、該本体の一方の端部に対向して配置される、気流を生成可能な物体と着脱可能に係合可能な係合部と、前記本体の前記第１の開口部と前記第２の開口部とを結ぶ線上に配置可能であり、かつ、液体を含浸可能であり、かつ、前記気流を通気可能である湿潤フィルター部とを備える。
【００１２】
ここで、一方向に延びており、かつ、一方の端部と同じ方向へ開口した、内部と外部とを連通した第１の開口部と、一方の端部とは反対側の他方の端部と同じ方向へ開口した、内部と外部とを連通した第２の開口部が形成された本体によって、一方の開口部から本体内部に気流が入り込み、本体内部を気流が通過して他方の開口部から本体外部へ気流が抜け出ることができる。
【００１３】
また、本体の一方の端部に対向して配置される、気流を生成可能な物体と着脱可能に係合可能な係合部によって、気流を生成可能な物体例えば、空気清浄機や扇風機に着脱可能に加湿器を係合し、生成された気流を本体内部に導入して本体内部を通過させることができる。
【００１４】
さらに、本体の第１の開口部と第２の開口部とを結ぶ線上に配置可能であり、かつ、液体を含浸可能であり、かつ、気流を通気可能である湿潤フィルター部によって、一方の開口部から本体内部に入り込んだ気流が、液体を含浸させた湿潤フィルター部を通ることで湿潤フィルター部に含まれた液体が蒸発して湿気を帯び、そして湿気を帯びた気流が他方の開口部から本体外部へ抜け出ることができる。
【００１５】
ここで言う「第１の開口部と第２の開口部とを結ぶ線」とは、直線や曲線を含み、空間の連続性や、気体が流れることができる気流通路を意味する。
【００１６】
また、本考案の加湿器において、係合部は、本体の第１の開口部が開口した方向と同じ方向に向いた凹凸部を有する構成とすることができる。
【００１７】
この場合、等間隔で配置された線状体を凹部に嵌め、線状体間の隙間に凸部を嵌めて、気流を生成可能な物体の気体が放出される箇所に係合部を着脱可能に係合させることができる。
【００１８】
さらに、本考案の加湿器において、第１の開口部の面積は、第２の開口部の面積よりも小さく、本体は、第１の開口部の縁部から第２の開口部へ向けて本体が延びた方向と同じ方向へ延びた筒体と、筒体の縁部から筒体が延びた方向と同じ方向へ所定の距離離れて配置された、かつ、筒体が延びた方向と同じ方向に対して略直交する方向における面積が、筒体が延びた方向に対して略直交する方向における筒体の面積よりも大きいと共に第２の開口部の面積よりも小さい傘体とを有する構成とすることができる。
【００１９】
この場合、筒体と本体の内壁との間に空間を設けることができる。
また、この場合、第１の開口部から本体内部に入り込んだ気体を傘体に直に当てて、筒体の縁部と傘体との間の空間から第２の開口部へ流れるよう誘導することができ、その結果、第１の開口部から本体内部に入り込んだ気体が直に湿潤フィルター部に当たることを避けることができる。
【００２０】
また、本考案の加湿器において、湿潤フィルター部は、本体が延びた方向と同じ方向へ延びた筒状であり、かつ、本体の筒体と本体の内壁との間に配置可能であり、かつ、湿潤フィルター部の延びた長さが、第１の開口部の縁部の位置から第２の開口部へ向いた傘体の面の位置までの長さと略同じである構成とすることができる。
【００２１】
この場合、筒体と本体の内壁との間に液体を入れておき、湿潤フィルター部を配置させておくだけでこの液体に湿潤フィルター部を接触させて、湿潤フィルター部の乾燥を抑制することができる。
また、この場合、筒体の縁部と傘体との間の空間から第２の開口部へ流れる気体を、液体に接触した湿潤フィルター部を通過させて第２の開口部から本体外部へ放出することができる。
【００２２】
また、本考案の加湿器において、傘体は、第２の開口部へ向いた傘体の面とは反対側の面から第１の開口部へ向けて突起した略山形状の突起部を有する構成とすることができる。
【００２３】
この場合、突起部に当たった気体を拡散させて、筒体の縁部と傘体との間の空間へ導き易くなる。
【００２４】
また、上記の目的を達成するために、本考案の空気清浄機は、一定方向へ流れる気流を生成可能な送風部と、該送風部が生成した前記気流を通気可能であり、かつ、同気流に含まれた汚染物質を捕集可能な清浄フィルター部と、該清浄フィルター部に汚染物質を捕集された気流である清浄気流を通気可能な排気部と、一方向に延びており、かつ、一方の端部と同じ方向へ開口した、内部と外部とを連通した第１の開口部と、前記一方の端部とは反対側の他方の端部と同じ方向へ開口した、内部と外部とを連通した第２の開口部が形成された本体と、前記排気部と着脱可能に係合可能な係合部と、前記本体の前記第１の開口部と前記第２の開口部とを結ぶ線上に配置可能であり、かつ、液体を含浸可能であり、かつ、前記気流を通気可能である湿潤フィルター部とを有する加湿部とを備える。
【００２５】
ここで、一定方向へ流れる気流を生成可能な送風部と、送風部が生成した気流を通気可能であり、かつ、気流に含まれた汚染物質を捕集可能な清浄フィルター部とによって、気流を清浄フィルターに通して気流に含まれた汚染物質を気流から取除くことができる。
【００２６】
また、加湿部の、一方向に延びており、かつ、一方の端部と同じ方向へ開口した、内部と外部とを連通した第１の開口部と、一方の端部とは反対側の他方の端部と同じ方向へ開口した、内部と外部とを連通した第２の開口部が形成された本体と、排気部と着脱可能に係合可能な係合部とによって、排気部に加湿部を係合させて排気部から出された気流を本体の一方の開口部から本体内部に入り込ませ、本体内部を通過させて他方の開口部から本体外部へ気流を出すことができる。
【００２７】
さらに、加湿部の、本体の第１の開口部と第２の開口部とを結ぶ線上に配置可能であり、かつ、液体を含浸可能であり、かつ、気流を通気可能である湿潤フィルター部によって、本体内部に入り込んだ気流が、液体を含浸させた湿潤フィルター部を通ることで湿潤フィルター部に含まれた液体が蒸発して湿気を帯び、そして湿気を帯びた気流が他方の開口部から本体外部へ抜け出ることができる。
【考案の効果】
【００２８】
本考案に係る加湿器は、簡便に雰囲気を加湿することができる。
本考案に係る空気清浄機は、簡便に雰囲気を加湿することができる。
【図面の簡単な説明】
【００２９】
【図１】本考案を適用した加湿器の一例を示す概略上方斜視図である。
【図２】本考案を適用した加湿器の一例を示す概略下方斜視図である。
【図３】図１に示す本考案を適用した加湿器のＡ−Ａ線概略端面図である。
【図４】本考案を適用した空気清浄機の一例を示す概略斜視図である。
【図５】従来の加湿器を示す概略図である。
【考案を実施するための形態】
【００３０】
以下、本考案の実施の形態について図面を参照しながら説明し、本考案の理解に供する。
図１は、本考案を適用した加湿器の一例を示す概略上方斜視図である。また、図２は、本考案を適用した加湿器の一例を示す概略下方斜視図である。また、図３は、図１に示す本考案を適用した加湿器のＡ−Ａ線概略端面図である。
【００３１】
図１、図２及び図３に示す本考案の加湿器１は、本体２を備える。
ここで、本体２は一方向に延びている。
また、本体２が延びた方向に対して略直交する方向における形状は略円形状であるが、必ずしもこの形状に限定されないことは勿論である。
【００３２】
また、本体２の一方の端部に近い位置には、すり鉢状の底部２Ｂが設けられている。
【００３３】
また、本体２の底部２Ｂには、一方の端部と同じ方向へ開口した、本体２の内部と外部とを連通した第１の開口部２Ａが形成されている。
【００３４】
また、本体２には、一方の端部とは反対側の他方の端部と同じ方向へ開口した、本体２の内部と外部とを連通した第２の開口部２Ｃが形成されている。
【００３５】
また、第１の開口部２Ａは底部２Ｂ全体ではなく部分的に形成されているが、第２の開口部２Ｃは本体２の他方の端部全体すなわち直径方向全域にわたって形成されているので、第１の開口部２Ａの面積は、第２の開口部２Ｃの面積よりも小さい。
【００３６】
ここで、第１の開口部２Ａの面積及び第２の開口部２Ｃの面積とは、本体２が延びた方向に対して略直交する方向における面積を意味する。
また、本体２が延びた方向に対して略直交する方向における、第１の開口部２Ａの形状及び第２の開口部２Ｃの形状は略円形状である。
【００３７】
また、図示していないが、第１の開口部２Ａの中心を通ると共に本体２が延びた方向と同じ方向へ延びた中心軸線と、第２の開口部２Ｃの中心を通ると共に本体２が延びた方向と同じ方向へ延びた中心軸線とは共通している。
【００３８】
また、本体２は、筒体２Ｄを有する。
ここで、筒体２Ｄは、第１の開口部２Ａの縁部から第２の開口部２Ｃへ向けて本体２が延びた方向と同じ方向へ延びている。
また、筒体２Ｄは第１の開口部２Ａの縁部から延びていることから、筒体２Ｄが延びた方向に対して略直交する方向における筒体２Ｄの形状は、第１の開口部２Ａの形状と同じく略円形状である。
【００３９】
また、本体２は、傘体２Ｇを有する。
ここで、傘体２Ｇは、筒体２Ｄの縁部である筒体縁部２Ｅから筒体２Ｄが延びた方向と同じ方向へ所定の距離例えば２〜３ｃｍ離れて配置されている。
すなわち、傘体２Ｇは、筒体縁部２Ｅに取付けられた支持部２Ｈによって支持された状態で、筒体縁部２Ｅから所定の距離離されて配置されている。
【００４０】
また、筒体２Ｄが延びた方向と同じ方向に対して略直交する方向における傘体２Ｇの形状は略円形状である。
また、筒体縁部２Ｅと同じ方向へ開口した筒体開口部２Ｆが筒体２Ｄに形成されている。
また、筒体開口部２Ｆは、筒体２Ｄの内部と外部とを連通している。
【００４１】
すなわち、第１の開口部２Ａと第２の開口部２Ｃとは、筒体開口部２Ｆを介して連通している。
【００４２】
また、筒体２Ｄが延びた方向と同じ方向に対して略直交する方向における傘体２Ｇの面積は、筒体２Ｄが延びた方向に対して略直交する方向における筒体２Ｄの面積よりも大きいと共に、第２の開口部２Ｃの面積よりも小さい。
【００４３】
また、傘体２Ｇは、突起部２Ｉを有する。
ここで、突起部２Ｉは、第２の開口部２Ｃへ向いた傘体２Ｇの面とは反対側の面の略中央部分から、第１の開口部２Ａへ向けて突起している。
また、突起部２Ｉの形状は略山形状である。
【００４４】
また、筒体２Ｄは第１の開口部２Ａの縁部から延びていることから、筒体２Ｄが延びた方向に対して略直交する方向における筒体２Ｄの面積が、第１の開口部２Ａの面積と略同じである。
従って、本体２の内壁と筒体２Ｄとの間に空間２Ｊが設けられている。
【００４５】
また、本考案の加湿器１は、係合部３を備える。
ここで、係合部３は、本体２の一方の端部に対向して配置される、気流を生成可能な物体例えば空気清浄機や扇風機と着脱可能に係合可能である。
【００４６】
すなわち、係合部３は、本体２の底部２Ｂに設けられており、かつ、本体２の第１の開口部２Ａが開口した方向と同じ方向に向いた、複数の凹部３Ａと複数の凸部３Ｂを有する。
また、凹部３Ａの数と凸部３Ｂの数は、例えば空気清浄機や扇風機それぞれの回転羽根を保護する、放射状に配置された線状ガード体の数に応じて適宜決定することができる。
【００４７】
また、本体２が延びた方向に対して略直交する方向における係合部３の形状は略円形状であり、かつ、係合部３には第１の開口部２Ａと連通した貫通穴が形成されている。
すなわち、係合部３は、本体２の底部２Ｂに輪状に設けられており、かつ、第１の開口部２Ａの中心を通ると共に本体２が延びた方向と同じ方向へ延びた中心軸線と、係合部３の中心を通ると共に本体２が延びた方向と同じ方向へ延びた中心軸線とは共通している。
【００４８】
また、本考案の加湿器１は、湿潤フィルター部４を備える。
ここで、湿潤フィルター部４は、本体２の第１の開口部２Ａと第２の開口部２Ｃとを結ぶ線上に配置可能であり、かつ、液体を含浸可能であり、かつ、気流を通気可能である。
【００４９】
また、湿潤フィルター部４は、本体２が延びた方向と同じ方向へ延びており、かつ、一方の端部と同じ方向へ開口した開口部と、一方の端部とは反対側の他方の端部と同じ方向へ開口した開口部が湿潤フィルター部４に形成されており、かつ、これら２つの開口部は湿潤フィルター部４の内部と外部とを連通している。
すなわち、湿潤フィルター部４は筒状である。
【００５０】
また、本体２が延びた方向と同じ方向に対して略直交する方向における湿潤フィルター部４の形状は略円形状である。
また、湿潤フィルター部４の内径は、本体２が延びた方向と同じ方向に対して略直交する方向における、筒体２Ｄの長さ及び傘体２Ｇの長さ、すなわち筒体２Ｄの外径及び傘体２Ｇの外径よりも大きい。
【００５１】
従って、湿潤フィルター部４は、本体２の筒体２Ｄと本体２の内壁との間の空間２Ｊに、取外し自在に配置可能である。
【００５２】
また、湿潤フィルター部４は、例えば、通常の加湿器のフィルターに使用される素材と同じ素材で形成された不織布が蛇腹折りされたものである蛇腹部材４Ａと、蛇腹部材４Ａに取付けられて蛇腹部材４Ａの間隔を一定に保持する間隔保持部材４Ｂとで構成されている。
【００５３】
また、湿潤フィルター部４の延びた長さは、第１の開口部２Ａの縁部の位置から第２の開口部２Ｃへ向いた傘体２Ｇの面の位置までの長さと略同じである。
すなわち、湿潤フィルター部４が、本体２の筒体２Ｄと本体２の内壁との間の空間２Ｊに配置されたとき、筒体縁部２Ｅと傘体２Ｇとの間の空間に湿潤フィルター部４の一部が対面することになる。
【００５４】
従って、筒体縁部２Ｅと傘体２Ｇとの間の空間から第２の開口部２Ｃへ流れる気体を、湿潤フィルター部４を通過させて第２の開口部２Ｃから本体２の外部へ放出することができる。
【００５５】
また、本考案の加湿器１は、通気部５を備える。
ここで、通気部５の外形は、第２の開口部２Ｃの形状と同じく略円形である。
従って、通気部５は、本体２の第２の開口部２Ｃに着脱可能に配置可能である。
【００５６】
また、通気部５には、第２の開口部２Ｃの面積より若干小さい面積の貫通穴が形成されており、かつ、通気部５の縁部同士を結んで直線状に延びた複数の線状ガード体５Ａが互いに一定の間隔で並べて配置されている。
すなわち、一つの線状ガード体５Ａと別の線状ガード体５Ａの間には通気口５Ｂが形成されており、その結果、通気部５には複数の通気口５Ｂが形成されている。
【００５７】
また、通気部５は、通気部５の半径方向に対して略直交する方向へ突出した錘体５Ｃを有する。
また、錘体５Ｃは一方へ突出している。
また、通気部５を本体２の第２の開口部２Ｃに配置する場合は、錘体５Ｃを、本体２の内壁と筒体２Ｄとの間の空間２Ｊに差し込み、通気部５がズレ落ちないようにする。
【００５８】
本考案の加湿器において、必ずしも係合部は凹凸部を有していなくてもよい。
【００５９】
しかし、係合部が凹凸部を有していれば、気流を生成可能な回転羽根のカバー部材などに使用されている、等間隔で配置された線状体を凹部に嵌め、線状体間の隙間に凸部を嵌めて、気流を生成可能な物体例えば扇風機や空気清浄機の、気体が放出される箇所に係合部を着脱可能に係合させることができるので好ましい。
【００６０】
また、本考案の加湿器において、必ずしも第１の開口部の面積は第２の開口部の面積よりも小さくなくてもよく、また、本体は必ずしも、筒体と傘体を有していなくてもよい。
例えば、第１の開口部の面積と第２の開口部の面積は略同じであったり、第１の開口部の面積は第２の開口部の面積よりも大きかったりすることができる。
【００６１】
しかし、第１の開口部の面積は、第２の開口部の面積よりも小さく、また、本体が筒体と傘体を有していれば、筒体と本体の内壁との間に空間を設けることができ、また、第１の開口部から本体内部に入り込んだ気体を傘体に直に当てて、筒体の縁部と傘体との間の空間から第２の開口部へ流れるよう誘導することができ、その結果、第１の開口部から本体内部に入り込んだ気体が直に湿潤フィルター部に当たることを避けることができるので好ましい。
【００６２】
入り込んだ気体が直に湿潤フィルター部に当たると、入り込んだ気体が何かの部材に直に当たった後に湿潤フィルター部に当たる場合よりも、当たった箇所の液体蒸発が大きくなり、湿潤フィルター部を通った気体が湿気を帯び難くなる。
【００６３】
また、本考案の加湿器において、必ずしも湿潤フィルター部は、本体が延びた方向と同じ方向へ延びた筒状でなくてもよく、また、本体の筒体と本体の内壁との間に配置可能でなくてもよく、また、湿潤フィルター部の延びた長さは、第１の開口部の縁部の位置から第２の開口部へ向いた傘体の面の位置までの長さと略同じでなくてもよい。
【００６４】
しかし、湿潤フィルター部がこのような構成であれば、筒体と本体の内壁との間に液体を入れておき、湿潤フィルター部を配置させておくだけでこの液体に湿潤フィルター部を接触させて、湿潤フィルター部の乾燥を抑制することができるので好ましい。
【００６５】
また、湿潤フィルター部がこのような構成であれば、筒体の縁部と傘体との間の空間から第２の開口部へ流れる気体を、液体に接触した湿潤フィルター部を通過させて第２の開口部から本体外部へ放出することができるので好ましい。
【００６６】
また、本考案の加湿器において、必ずしも傘体は突起部を有していなくてもよい。
【００６７】
しかし、傘体が突起部を有していれば、傘体に当たった気体を拡散させて、筒体の縁部と傘体との間の空間へ導き易くなるので好ましい。
【００６８】
図４は、本考案を適用した空気清浄機の一例を示す概略斜視図である。
図４に示す本考案の空気清浄機１０は、清浄機本体１１を備える。
また、本考案の空気清浄機１０は、清浄機本体１１の内部に配置された、送風ファン１２と、清浄フィルター部１３とを備える。
【００６９】
ここで、送風ファン１２は、図示していないが回転羽根で構成されており、回転羽根が回転して一定方向へ流れる気流を生成可能である。
また、送風ファンは送風部の一例である。
【００７０】
また、清浄フィルター部１３は、送風ファン１２が生成した気流を通気可能であり、かつ、気流に含まれた汚染物質例えばホコリ、花粉、カビ菌を捕集可能である。
【００７１】
また、清浄機本体１１は一方向に延びた円筒状であり、清浄機本体１１の一方の端部には、本考案の空気清浄機１０の周囲の空気を吸い込むための吸込部１４が設けられている。
ここで、吸込部１４には、吸い込まれた空気が通る複数の吸込口１４Ａが形成されている。
【００７２】
また、清浄機本体１１の一方の端部とは反対側の他方の端部には、清浄機本体１１から外部へ向けて、汚染物質が取除かれた気流である清浄気流を排気するための排気部１５が設けられている。
ここで、排気部１５には、排気される清浄気流が通る排気口１５Ｂが形成されている。
【００７３】
また、排気部１５の外形は、円筒状である清浄機本体１１が延びた方向に対して略直交する方向における断面の形状と同じく略円形である。
また、排気部１５には、円筒状である清浄機本体１１の一方の端部とは反対側の他方の端部と同じ方向へ開口した開口部より若干小さい面積の貫通穴が形成されている。
従って、排気部１５は、清浄機本体１１の他方の端部の開口部に着脱可能に配置可能であるが、清浄機本体１１に一体的に取付けられていてもよい。
【００７４】
また、排気部１５の貫通穴の略中央の位置には、扇風機などと同様にセンタープレート１５Ａが配置されており、排気部１５の縁部とセンタープレート１５Ａとを結んで直線状に延びた複数の線状ガード体１５Ｃが互いに一定の間隔で放射状に並べて配置されている。
すなわち、一つの線状ガード体１５Ｃと別の線状ガード体１５Ｃの間に排気口１５Ｂが形成されている。
【００７５】
また、吸込部１４の吸込口１４Ａと排気部１５の排気口１５Ｂは互いに、吸込部１４の内部や清浄機本体１１の内部を介して連通している。
【００７６】
また、本考案の空気清浄機１０は、本考案の加湿器１を加湿部として備える。
なお、本考案の加湿器１についてはすでに詳細に説明しているので、ここでは説明を省略する。
【００７７】
ここで、本考案の加湿器１が備える係合部３の複数の凹部３Ａそれぞれに、排気部１５の複数の線状ガード体１５Ｃそれぞれを嵌め込ませると共に、係合部３の複数の凸部３Ｂそれぞれを、複数の線状ガード体１５Ｃ同士の間に形成された複数の排気口１５Ｂそれぞれに嵌め込ませることで、本考案の加湿器１の係合部３を着脱可能に排気部１５に係合させることができる。
【００７８】
また、通常の扇風機も排気部１５と同様の構成部材を備えているので、本考案の加湿器１の係合部３を通常の扇風機に着脱可能に係合させることができる。
【００７９】
また、排気部１５に、本考案の加湿器１の係合部３を係合させることで、吸込部１４の吸込口１４Ａと、排気部１５の排気口１５Ｂと、本考案の加湿器１の第１の開口部２Ａと、本考案の加湿器１の第２の開口部２Ｃとが互いに連通した状態となる。
【００８０】
次に、図３及び図４を参照しながら、本考案の加湿器１及び本考案の空気清浄機１０の動作について説明する。
【００８１】
本考案の加湿器１を加湿部として備えた、本考案の空気清浄機１０の送風ファン１２の回転羽根が回転すると、本考案の空気清浄機１０の周囲の空気が吸込部１４の吸込口１４Ａを通って吸込部１４の内部に吸い込まれ、排気部１５へ流れる気流が生成される。
【００８２】
また、送風ファン１２が生成した気流は、排気部１５へ到達する前に清浄フィルター部１３を通り、気流に含まれた汚染物質例えばホコリ、花粉、カビ菌が気流から取除かれ、清浄気流となる。
【００８３】
そして、清浄気流は、排気部１５の排気口１５Ｂを通って排気される。
【００８４】
さらに、排気口１５Ｂを通って排気された清浄気流は、図３に示すように清浄気流方向６に流れて、本考案の加湿器１の第１の開口部２Ａから本体２の内部に入り込む。
【００８５】
本体２の内部に入り込んだ清浄気流は、筒体２Ｄが延びた方向へ流れて傘体２Ｇに直接当たる。
このとき、清浄気流は、傘体２Ｇが有する突起部２Ｉに当たり、拡散して筒体縁部２Ｅと傘体２Ｇとの間の空間へ導かれる。
【００８６】
そして、清浄気流は、筒体縁部２Ｅと傘体２Ｇとの間の空間から第２の開口部２Ｃへ流れる途中に、水を含浸させた湿潤フィルター部４を通過する。
このとき、湿潤フィルター部４に含まれた水分が蒸発する。その結果、清浄気流は湿気を帯びて湿潤気流となって通気部５の複数の通気口５Ｂを通り、本考案の加湿器１の外部すなわち本考案の空気清浄機１０の外部へ、湿潤気流方向７に流れる。
【００８７】
従って、本考案の加湿器１の外部の雰囲気すなわち本考案の空気清浄機１０の外部の雰囲気を加湿することができる。
【００８８】
以上のように、本考案の加湿器が備える本体によって、第１の開口部すなわち一方の開口部から本体内部に気流が入り込み、本体内部を気流が通過して第２の開口部すなわち他方の開口部から本体外部へ気流が抜け出ることができる。
【００８９】
また、本考案の加湿器は係合部を備えるので、本考案の加湿器を空気清浄機や扇風機などに着脱可能に係合することができ、空気清浄機や扇風機が生成した気流を本考案の加湿器の本体内部に導入して、本体内部を通過させることができる。
【００９０】
また、本考案の加湿器は湿潤フィルター部を備えるので、本体内部に入り込んだ気流が、液体を含浸させた湿潤フィルター部を通ることで湿潤フィルター部に含まれた液体が蒸発して、気流が湿気を帯び、そして湿気を帯びた気流が他方の開口部から本体外部へ抜け出ることができる。
【００９１】
従って、本考案の加湿器は、送風機などを備えなくても、空気清浄機や扇風機など気流を生成する手段の気流を利用して雰囲気を加湿することができるので、簡便に雰囲気を加湿することができる。
また、手で団扇を扇いで気流を生成し、この気流を本考案の加湿器の本体内部に送り込むことによっても、雰囲気を加湿することができる。
【００９２】
また、本考案の空気清浄機も、着脱できる本考案の加湿器を備えているので、本考案の加湿器を排気部に係合させるだけで空気の清浄に加えて雰囲気を加湿することができ、よって、簡便に雰囲気を加湿することができる。
【符号の説明】
【００９３】
１    加湿器
２    本体
２Ａ  第１の開口部
２Ｂ  底部
２Ｃ  第２の開口部
２Ｄ  筒体
２Ｅ  筒体縁部
２Ｆ  筒体開口部
２Ｇ  傘体
２Ｈ  支持部
２Ｉ  突起部
２Ｊ  空間
３    係合部
３Ａ  凹部
３Ｂ  凸部
４    湿潤フィルター部
４Ａ  蛇腹部材
４Ｂ  間隔保持部材
５    通気部
５Ａ  線状ガード体
５Ｂ  通気口
５Ｃ  錘体
６    清浄気流方向
７    湿潤気流方向
１０    空気清浄機
１１    清浄機本体
１２    送風ファン
１３    清浄フィルター部
１４    吸込部
１４Ａ  吸込口
１５    排気部
１５Ａ  センタープレート
１５Ｂ  排気口
１５Ｃ  線状ガード体
【図１】
0003225216.tif 000003
【図２】
0003225216.tif 000004
【図３】
0003225216.tif 000005
【図４】
0003225216.tif 000006
【図５】
0003225216.tif 000007